(57)【要約】【課題】広告無し番組を放送し、視聴者が心地よく番組を視聴することができる。【解決手段】放送局２から放送される番組を受信する受信機３０が、受信機３０が有する受信機ＩＤを商品販売業者端末装置５０に出力し、商品販売業者端末装置５０に受信機３０より出力された受信機ＩＤが入力され、商品販売業者端末装置５０が受信機ＩＤを放送局２に出力し、放送局２に商品販売業者端末装置５０より出力された受信機ＩＤが入力され、放送局２が、入力された受信機ＩＤに基づいて特典データを生成する。【選択図】　図１
2004080317.tif 000002
【特許請求の範囲】
【請求項１】
放送局から放送される番組を受信する受信機が、当該受信機が有する受信機識別データを商品販売業者端末に出力する受信機出力ステップと、上記商品販売業者端末に上記受信機より出力された受信機識別データが入力される商品販売業者入力ステップと、
上記商品販売業者端末が上記受信機識別データを上記放送局に出力する商品販売業者出力ステップと、
上記放送局に上記商品販売業者端末より出力された受信機識別データが入力される放送局入力ステップと、
上記放送局が、上記入力された受信機識別データに基づいて特典データを生成する特典データ生成ステップとを有する通信方法。
【請求項２】
上記商品販売業者入力ステップでは、上記受信機識別データとともに、上記商品販売業者が販売する商品の商品購入データが上記商品販売業者端末に入力される請求項１記載の通信方法。
【請求項３】
上記商品販売業者出力ステップでは、上記商品販売業者端末が上記受信機識別データと共に上記商品購入データを上記放送局に出力し、
上記放送局入力ステップでは、上記商品販売業者端末より出力された受信機識別データ及び商品購入データが入力され、
上記特典データ生成ステップでは、上記放送局が上記受信機識別データ及び上記商品購入データに対応する特典データを生成する請求項２記載の通信方法。
【請求項４】
更に、上記放送局が、上記特典データが閾値を超えたとき、上記受信機が広告無し番組を再生できるようにする再生ステップを有する請求項１記載の通信方法。
【請求項５】
更に、上記放送局が、上記受信機の所有者に対する請求データを上記特典データに基づいて減額する減額ステップを有する請求項１記載の通信方法。
【請求項６】
更に、上記放送局が、上記特典データに基づいて上記受信機の所有者が上記商品販売業者の商品を購入するときの割引クーポンを送信する送信ステップを有する請求項１記載の通信方法。
【請求項７】
更に、商品販売業者に対して課金する課金データを生成する課金ステップを有する請求項１記載の通信方法。
【請求項８】
上記商品販売業者入力ステップでは、近距離通信により上記商品販売業者端末に上記受信機より出力された受信機識別データが入力される請求項１記載の通信方法。
【請求項９】
番組を放送する放送局と、
識別データを有し、上記放送局が放送する番組を受信する受信機と、
上記受信機より出力された上記識別データが入力され、この入力された識別データを上記放送局に送信する商品販売業者端末とを備え、
上記放送局は、上記商品販売業者端末より上記受信機の識別データが入力されたとき、この識別データに基づいて特典データを生成する通信システム。
【請求項１０】
上記商品販売業者端末には、商品販売業者が販売する商品の商品購入データが上記受信機の識別データに関連付けられて入力される請求項９記載の通信システム。
【請求項１１】
上記商品販売業者端末は、上記識別データとともに上記商品購入データを上記放送局に送信し、
上記放送局は、上記商品販売業者端末より送信された上記識別データと上記商品購入データに基づいて上記特典データを生成する請求項１０記載の通信システム。
【請求項１２】
上記放送局は、上記特典データが閾値を超えたとき、上記受信機が広告無し番組を再生できるようにする請求項９記載の通信システム。
【請求項１３】
上記放送局は、上記受信機の所有者に対する請求データを上記特典データに基づいて減額する請求項９記載の通信システム。
【請求項１４】
上記放送局は、上記特典データに基づいて上記受信機の所有者が上記商品販売業者の商品を購入するときの割引クーポンを生成し、この割引クーポンを上記受信機に送信する請求項９記載の通信システム。
【請求項１５】
上記放送局は、商品販売業者に対する課金データを生成する請求項９記載の通信システム。
【請求項１６】
番組を放送する放送ステップと、
受信機より上記商品販売業者端末に入力された受信機識別データが入力される放送局入力ステップと、
上記入力された受信機識別データに基づいて特典データを生成する生成ステップとを有する通信方法。
【請求項１７】
上記放送局入力ステップでは、上記受信機識別データとともに、商品販売業者が販売する商品の商品購入データが上記受信機識別データに関連付けられて入力され、
上記生成ステップでは、上記入力された受信機識別データ及び商品購入データとに基づいて上記特典データを生成する請求項１６記載の通信方法。
【請求項１８】
更に、上記特典データが閾値を超えたとき、上記受信機が広告無し番組を再生できるようにする再生ステップを有する請求項１６記載の通信方法。
【請求項１９】
更に、上記受信機の所有者に対する請求データを上記特典データに基づいて減額する減額ステップを有する請求項１６記載の通信方法。
【請求項２０】
更に、上記特典データに基づいて上記受信機の所有者が上記商品販売業者の商品を購入するときの割引クーポンを送信する送信ステップを有する請求項１６記載の通信方法。
【請求項２１】
番組を放送する放送手段と、
受信機より上記商品販売業者端末に入力された受信機識別データが入力される入力手段と、
上記入力手段に入力された受信機識別データに基づいて特典データを生成する生成手段とを備える放送装置。
【請求項２２】
コンピュータによって実行可能なコンピュータプログラムが記録された記録媒体であって、
上記コンピュータプログラムは、放送局が放送した番組を受信する受信機より商品販売業者端末に入力された受信機識別データが入力されたとき、この入力された受信機識別データに基づいて特典データを生成する生成ステップを有する記録媒体。
【請求項２３】
コンピュータによって実行可能なコンピュータプログラムであって、
放送局が放送した番組を受信する受信機より商品販売業者端末に入力された受信機識別データが入力されたとき、この入力された受信機識別データに基づいて特典データを生成する生成ステップを有するコンピュータプログラム。
【発明の詳細な説明】
【０００１】
【発明の属する技術分野】
本発明は、受信機識別データを販売業者を介して取得する放送局が、受信機識別データ毎に受信者に対する特典データを生成するシステムに関する。
【０００２】
【従来の技術】
テレビジョン放送で提供される番組は、番組の途中に、所定間隔、例えば１５分間隔で一又は複数のＣＭ（Ｃｏｍｍｅｒｃｉａｌ　Ｍｅｓｓａｇｅ）が所定時間、例えば１分程度挿入されている。ＣＭの時間では、通常、企業やその企業の商品の宣伝広告が行われている。このＣＭは、広告主が放送事業者に対して広告料を支払うことによって放送することができる。
【０００３】
【発明が解決しようとする課題】
しかしながら、番組の途中に挿入されるＣＭは、広告主から見ると、極めて宣伝効果が高く利用価値の高いものであるが、その番組の視聴者から見ると、番組を連続して見ることができず、煩わしいことがある。
【０００４】
また、ＣＭは、放送事業者が定める例えば一日の番組プログラム中割り当てられた、すなわち決められた時間でしか行うことができず、広告主から見て利用しにくい面もある。
【０００５】
更に、テレビジョン放送は、ブロードキャストであるため、特定地域に限ったＣＭを放送することはできない。
【０００６】
本発明は、以上のような課題に鑑みてなされたものであり、その目的は、広告無し番組を放送し、視聴者が心地よく番組を視聴することができる通信方法、通信システム、放送装置を提供することにある。また、本発明の目的は、特典を視聴者に対して付与することで、視聴者が商品販売業者の店舗を訪れやすくすることにある。
【０００７】
また、本発明の目的は、広告無し番組放送に関連付けて商品販売業者の集客力を高めることができる通信方法、通信システム、放送装置を提供することにある。
【０００８】
【課題を解決するための手段】
本発明に係る通信方法は、放送局から放送される番組を受信する受信機が、当該受信機が有する受信機識別データを商品販売業者端末に出力する受信機出力ステップと、商品販売業者端末に受信機より出力された受信機識別データが入力される商品販売業者入力ステップと、商品販売業者端末が受信機識別データを放送局に出力する商品販売業者出力ステップと、放送局に商品販売業者端末より出力された受信機識別データが入力される放送局入力ステップと、放送局が、入力された受信機識別データに基づいて特典データを生成する特典データ生成ステップとを有する。
【０００９】
また、本発明に係る通信システムは、番組を放送する放送局と、識別データを有し、放送局が放送する番組を受信する受信機と、受信機より出力された識別データが入力され、この入力された識別データを放送局に送信する商品販売業者端末とを備える。そして、放送局は、商品販売業者端末より受信機の識別データが入力されたとき、この識別データに基づいて特典データを生成する。
【００１０】
更に、本発明に係る通信方法は、番組を放送する放送ステップと、受信機より商品販売業者端末に入力された受信機識別データが入力される放送局入力ステップと、入力された受信機識別データに基づいて特典データを生成する生成ステップとを有する。
【００１１】
更に、本発明に係る放送装置は、番組を放送する放送手段と、受信機より商品販売業者端末に入力された受信機識別データが入力される入力手段と、入力手段に入力された受信機識別データに基づいて特典データを生成する生成手段とを備える。
【００１２】
更に、本発明に係る記録媒体は、コンピュータによって実行可能なコンピュータプログラムが記録された記録媒体である。また、本発明に係るコンピュータプログラムは、コンピュータプログラムは、放送局が放送した番組を受信する受信機より商品販売業者端末に入力された受信機識別データが入力されたとき、この入力された受信機識別データに基づいて特典データを生成する生成ステップを有する。
【００１３】
【発明の実施の形態】
以下、本発明が適用された通信システムを、図面を参照して説明する。
【００１４】
図１に示すように、本発明を適用した通信システム１は、主として放送事業者等の放送局２と、この放送局２が放送するラジオ放送を視聴する視聴者３と、商品を販売する商品販売業者４とで成り立つ。放送局２は、ＭＭＤＳ（ｍｕｌｔｉ−ｃｈａｎｎｅｌ　ｍｕｌｔｉ−ｐｏｉｎｔ　ｄｉｓｔｒｉｂｕｔｉｏｎ　ｓｅｒｖｉｃｅ）、ＬＭＤＳ（ｌｏｃａｌ　ｍｕｌｔｉ−ｐｏｉｎｔ　ＤＳ）、ＭＶＤＳ（Ｅｕｒｏｐｅａｎ　Ｍｉｃｒｏｗａｖｅ　Ｖｉｄｅｏ　Ｄｉｓｔｒｉｂｕｔｉｏｎ　Ｓｙｓｔｅｍｓ）等の方式に従って例えばワイヤレスケーブル放送を行う。勿論、放送局２は、通常の有線ラジオ放送を行ってもよい。
【００１５】
放送局２では、放送装置１０よりラジオ番組を放送する。放送局２は、番組中及び／又は番組間に一切広告を挿入しない番組を放送する。
【００１６】
視聴者３は、有線ラジオの受信機３０を所有している。受信機３０は、例えば視聴者３が所有する車に設置され、車中で放送局２が放送する番組を視聴することができる。この受信機３０は、他の視聴者３が所有する受信機と識別する識別データを保持している。この識別データは、放送局２のデータベースに登録されており、放送局２によって管理されている。
【００１７】
更に、商品販売業者４は、システム利用料を支払うことによって本システム１の加入店として放送局２に登録されており、店頭に商品販売業者端末装置５０を設置している。この商品販売業者端末装置５０は、視聴者３が店頭に訪れたとき又は視聴者３が店頭に訪れ所望の商品を購入したとき、視聴者３の所有する受信機３０とデータ通信を行い、この視聴者３の受信機３０に付与されている識別データを取得する。これと共に、商品販売業者端末装置５０には、視聴者３の購入履歴となる購入データが入力される。商品販売業者端末装置５０は、受信機３０より識別データが入力される度に及び／又は所定期間毎に、識別データを又は識別データと視聴者３が購入した商品の購入データを放送局２に送信する。
【００１８】
放送局２では、商品販売業者端末装置５０から送信された識別データを又は識別データと視聴者３が購入した商品の購入データを取得することで、受信機３０の識別データが登録されている視聴者３がどの位本システム１に加入している商品販売業者４の店舗を利用しているか知ることができる。放送局２は、視聴者３の加入店での利用状況に基づいて視聴者３に対する特典データを生成することができる。例えば、放送局２は、視聴者３が放送局２に対して受信料の割引、プレミアムチャネルの受信を許可する等の特典を視聴者３に対して付与する。
【００１９】
以上のような通信システム１では、視聴者３は放送局２が放送する音楽番組、クイズ番組、ニュース番組等の広告無し番組を視聴することができ、１つの番組を連続して視聴することができる。また、放送局２は、番組として、その他に、専ら商品紹介を行う広告専用番組を制作し放送する。広告専用番組では、商品販売業者４が番組途中に広告を挿入する場合と異なり、広告の時間枠に関係なく、自由な時間に好きな商品広告を行うことができる。更に、視聴者３は、広告専用番組等を見て商品販売業者４の商品を店舗で購入すると、受信機３０の識別データと商品購入データとが放送局２に送信される。放送局２は、受信機の識別データや商品購入データ等に基づいて視聴者３の店舗利用状況を把握することができ、利用度に応じて視聴者３に対して、受信料割引、プレミアムチャネルの提供等の特典を付与することができる。
【００２０】
すなわち、この通信システム１では、放送局２は視聴者３が広告無し番組を視聴することができるようにし、また、本システム１に加入した加入店で商品を購入すると、利用度に応じて特典が受けられるようにすることで、契約者、すなわち視聴者３の数を増やすことができる。また、商品販売業者４は、広告専用番組で商品を宣伝することができることから、宣伝効率を高めることができる。
【００２１】
次に、放送局２に設置される放送装置１０について、図２を参照して説明すると、この放送装置１０は、放送する番組等のコンテンツデータが蓄積される蓄積部１１と、放送する番組をディジタル多重化処理するディジタル多重化部１２と、放送する番組を暗号化する暗号化部１３と、暗号化された番組の送信処理を行う送信処理部１４と、送信処理された番組を送信するアンテナ１５と、全体の動作を制御する制御プログラム等が保存されたプログラム用記憶部１６と、プログラム用記憶部１６等に保存されたプログラムがロードされる一時記憶部１７と、放送局２と本システム１の利用契約をした商品販売業者４が管理する商品販売業者端末装置５０とデータ通信をするための通信部１８と、契約者である視聴者３の所有する受信機３０の識別データと商品販売業者４の所有する商品販売業者端末装置５０から送信された視聴者３の販売データとを管理するデータベース１９と、商品販売業者４に対してシステム利用料を課金する課金データを生成するためのデータベース２０と、全体の動作を制御する制御部２１とを備える。
【００２２】
蓄積部１１は、放送する番組等のコンテンツデータが保存される。この蓄積部は、大容量ハードディスク等からなる。また、蓄積部１１は、一又は複数のコンテンツデータが保存されたディスクカートリッジ、テープカートリッジ等のリムーバル記録媒体が複数収納され、放送事業者の操作に従って所望のリムーバル記録媒体を抽出し再生する記録媒体交換装置である。この蓄積部１１に保存される番組データは、具体的に、音楽番組、クイズ番組、ニュース番組等である。また、蓄積部１１には、放送局２と本システム１を利用するにあたって契約した商品販売業者４が取り扱う商品等の広告専用番組が保存されている。この番組データは、図３（Ａ）に示すように、番組内と番組間に全く広告の時間を設けないように構成される。勿論、この番組データは、図３（Ｂ）に示すように、１つの番組内に広告を挿入しないようにし、番組間に広告を挿入するものであってもよい。何れの例であっても、少なくとも番組内にその番組のスポンサとなっている企業等の広告は挿入されておらず、視聴者３が少なくとも１つの番組を連続して視聴することができるように構成されている。そして、蓄積部１１は、放送事業者の指示に従って所定のコンテンツデータをディジタル多重化部１２に出力する。
【００２３】
なお、蓄積部１１に蓄積されているコンテンツデータは、音声データであれば、ＭＰＥＧ−２ＡＡＣ（Ｍｏｔｉｏｎ　Ｐｉｃｔｕｒｅ　Ｅｘｐｅｒｔ　Ｇｒｏｕｐ　２　Ａｄｖａｎｃｅｄ　Ａｕｄｉｏ　Ｃｏｄｉｎｇ：商標）等の方式で符号化されていてもよい。蓄積部１１に蓄積されているコンテンツデータが符号化されていないときには、ディジタル多重化部１２の前段に設けた符号化部で符号化するようにすればよい。
【００２４】
ディジタル多重化部１２は、複数のチャネルのコンテンツデータをパケット化し、パケット単位で複数のコンテンツデータを時分割多重化等の方式でディジタル多重化する。そして、ディジタル多重化部１２は、多重化したコンテンツデータを制御部２１を介して暗号化部１３に出力する。暗号化部１３は、図示しないメモリに入力されたコンテンツデータを暗号化する暗号鍵データを保存している。暗号化部１３は、コンテンツデータを放送するとき、入力されたコンテンツデータを、メモリに保存されている暗号鍵データを用いて暗号化し、暗号化したコンテンツデータを送信処理部１４に出力する。
【００２５】
送信処理部１４は、暗号化部１３より入力された暗号化コンテンツデータを符号化し、ＯＦＤＭ（Ｏｒｔｈｏｇｏｎａｌ　Ｆｒｅｑｕｅｎｃｙ　Ｄｉｖｉｓｉｏｎ　Ｍｕｌｔｉｐｌｅｘｉｎｇ）等の方式で変調し、アンテナ１５に出力する。アンテナ１５は、送信処理部１４より入力された送信処理が施されたコンテンツデータを発信する。
【００２６】
プログラム用記憶部１６は、ハードディスク、ＲＯＭ（Ｒｅａｄ　Ｏｎｌｙ　Ｍｅｍｏｒｙ）、ＥＥＰＲＯＭ（Ｅｌｅｃｔｒｉｃａｌｌｙ　Ｅｒａｓａｂｌｅ　Ｐｒｏｇｒａｍｍａｂｌｅ　Ｒｅａｄ−Ｏｎｌｙ　Ｍｅｍｏｒｙ）、フラッシュメモリ等で構成されている。プログラム用記憶部１６には、各種資源を管理するオペレーティングシステム、データベース１９を検索する検索プログラム、商品販売業者端末装置５０とデータ通信を行うための通信プログラム等が格納されている。また、このプログラム用記憶部１６は、書換可能な記憶媒体を用いることで、プログラムを光ディスク、光磁気ディスク、磁気ディスク等のリムーバル記録媒体から又はネットワーク５を介してインストールすることができ、また、格納されているプログラムを更新することができるようになっている。一時記憶部１７は、ＲＡＭ（Ｒａｎｄｏｍ　Ａｃｃｅｓｓ　Ｍｅｍｏｒｙ）等で構成されている。この一時記憶部１７には、プログラム用記憶部１６に格納されている各種プログラムがロードされる。
【００２７】
通信部１８は、放送局２と本システム１の利用契約をした商品販売業者４が管理する商品販売業者端末装置５０とネットワーク５を介してデータ通信をする。具体的に、通信部１８は、商品販売業者端末装置５０から送信された商品販売業者端末装置５０が保持している受信機の識別データや商品販売業者４の店舗で視聴者３が購入した購入データを受信する。また、通信部１８は、視聴者３が本サービスを利用するために視聴者登録をする際に、その視聴者３が所有する受信機３０の受信機ＩＤ、視聴者名等のデータを受信する。更に、通信部１８は、商品販売業者４に対して、広告料に代わる本システム１の利用料を算出するため、商品販売業者端末装置５０より視聴者３によって発生した売上データ等を受信する。
【００２８】
ここで、ネットワーク５は、ＩＳＤＮ（Ｉｎｔｅｇｒａｔｅｄ　Ｓｅｒｖｉｃｅｓ　Ｄｉｇｉｔａｌ　Ｎｅｔｗｏｒｋ）回線、ＣＡＴＶ（Ｃａｂｌｅ　Ｔｅｌｅｖｉｓｉｏｎ）回線、光ケーブル回線、ｘＤＳＬ（ｘ　Ｄｉｇｉｔａｌ　Ｓｕｂｓｃｒｉｂｅｒ　Ｌｉｎｅ　）、ディジタル衛星放送用の衛星回線等のネットワーク２を介して接続されおり、ＴＣＰ／ＩＰ（Ｔｒａｎｓｍｉｓｓｉｏｎ　Ｃｏｎｔｒｏｌ　Ｐｒｏｔｏｃｏｌ／Ｉｎｔｅｒｎｅｔ　Ｐｒｏｔｏｃｏｌ）等の伝送プロトコルに従ってデータのやり取りを行う。
【００２９】
データベース１９は、大容量ハードディスク等に構築されている。このデータベース１９は、この放送サービスを受ける視聴者３が所有する受信機３０の識別データとその視聴者３の履歴とを関連付けるものであり、例えば下記表１のようになる。
【００３０】
【表１】
2004080317.tif 000003
【００３１】
このデータベース１９は、表１に示すように、フィールドとして、放送局２と受信契約を締結した契約者名（視聴者名）と、その視聴者３が所有する受信機３０の識別データとなる受信機ＩＤと、その視聴者３が所定期間内に商品販売業者４の店舗を訪問した回数と、受信機ＩＤに関連付けられた視聴者３が商品販売業者４の店舗で商品を購入した際の支払合計金額と、店舗訪問回数と支払合計金額とにより算出されるポイントと、その視聴者３が放送局２に支払う受信料の割引率と、視聴者３に対する受信料の請求金額の基礎となる一ヶ月分の基本料金と、割引率を反映させた実際の視聴者３への一ヶ月分の請求料金とが設けられている。
【００３２】
視聴者名は、放送局２と受信契約を締結したとき、このデータベースに受信機ＩＤとともに登録される。また、店舗訪問回数は、商品販売業者４の商品販売業者端末装置５０から受信機ＩＤが送信される度に加算される。支払合計金額は、視聴者３が商品販売業者４の店舗で商品を購入した際に商品販売業者４の商品販売業者端末装置５０から送信される視聴者３の購入データに基づいて更新されるものであり、所定期間内に視聴者３が商品販売業者４に支払った金額合計となる。ポイントは、店舗訪問回数と支払合計金額とに基づいて算出されるものであり、例えば店舗訪問回数の１回を１ポイントに換算し、支払合計金額の１円を１ポイントに換算して、この２つのフィールドのポイントを加算したものである。また、受信料の割引率は、商品販売業者４の店舗を頻繁に利用する視聴者３に対して特典として受信料を割り引くための割引率を示し、ポイントにより算出される。割引率は、例えば、１０００ポイント未満を０％、１０００ポイント以上２０００ポイント未満を１％とし、２０００ポイント以上３０００ポイント未満を２％とし、３０００ポイント以上４０００ポイント未満を３％といったように１０００ポイント毎に割引率を１％ずつ増加させるように定義されている。更に、基本料金は、例えば基本となる数チャネルを視聴可能な基本セットが１０００円で、基本セットに視聴可能チャネルを１つ増やす毎に１０００円が加算される用になっている。更に、請求料金は、基本料金に割引率を反映させた金額である。
【００３３】
例えば、視聴者Ａのレコードは、受信機ＩＤが「０００００１」であり、店舗訪問回数が「５回」であり、支払合計金額が「１０００円」である。また、ポイントは、店舗訪問回数が「５回」であるから５ポイントに換算され、支払合計金額が「１０００円」であるから１０００ポイントに換算され、これらを合わせて「１００５ポイント」となっている。また、受信料の割引率は、ポイントが「１００５ポイント」で１０００ポイント以上２０００ポイント未満に分類でき１％となっている。また、視聴者Ａは、基本料金が１０００円であり、割引率が１０％であるから、請求料金が基本料金の９０％である９００円となっている。
【００３４】
以上のようなデータベース１９では、受信機ＩＤに基づいて視聴者３を特定し、特定された視聴者３が契約した商品販売業者４の店舗で商品を購入したかを管理することができる。なお、更に、このデータベース１９は、視聴者３が何れの商品販売業者４の店舗で購入したかを管理するようにしてもよい。
【００３５】
データベース２０は、大容量ハードディスク等に構築されている。このデータベース２０は、商品販売業者４に対してシステム利用料を課金する課金データを生成するためのものであり、商品販売業者４の識別データである商品販売業者ＩＤに視聴者３が商品を購入したことにより発生し売上額とこの売上データに基づいて算出された課金額とが関連付けられており、例えば下記表２のように構成されている。
【００３６】
【表２】
2004080317.tif 000004
【００３７】
このデータベース２０は、表２に示すように、フィールドとして、商品販売業者４を特定するための商品販売業者ＩＤと、視聴者３が商品を購入したことにより発生し売上額と、この売上データに基づいて算出された課金額とが設けられている。
【００３８】
商品販売業者ＩＤは、商品販売業者４が放送局２とシステム利用契約を締結したとき、商品販売業者４に対して付与されるものであり、商品販売業者４に対してＩＤを発光したとき、データベース２０に登録される。売上は、一ヶ月間等所定期間における視聴者３が商品を購入したことにより発生した売上金の合計である。更に、課金額は、所定期間における売上額に応じて商品販売業者４毎に算出されるものであり、例えば売上の１０％とされている。
【００３９】
例えば商品販売業者ＡＡＡは、一ヶ月における売上合計が１００，０００円であり、その月における課金額は、売上の１０％である１０，０００円となっている。すなわち、この課金額は、従来行われてきた番組中に行う広告に対して商品販売業者４が放送局２に対して支払う広告料に代わるものとなる。
【００４０】
制御部２１は、ＣＰＵ（Ｃｅｎｔｒａｌ　Ｐｒｏｃｅｓｓｉｎｇ　Ｕｎｉｔ）等で構成されている。制御部２１は、プログラム用記憶部１６のプログラムを一時記憶部１７にロードし、読み出したプログラムに基づいて装置全体を制御する。具体的に、制御部２１は、通信部１８で受信した受信機３０より視聴者登録のため送信された受信機ＩＤや視聴者名をデータベース１９に登録する。また、制御部２１は、例えば、通信部１８で商品販売業者４の商品販売業者端末装置５０から送信された受信機３０の識別データや視聴者３の購入データを受信したとき、プログラム用記憶部１６の保存されている検索プログラムに基づいて、データベース１９にアクセスし、所定の受信機識別データの視聴者３のレコードを抽出し、店舗訪問回数、支払合計金額、ポイント、割引率等を更新する。また、制御部２１は、例えば、通信部１８で商品販売業者４の商品販売業者端末装置５０から送信された売上合計に応じた課金金額を算出する。
【００４１】
以上のように構成された放送装置１０は、一日の番組プログラムに応じて番組内に広告が挿入されていない広告無し番組の放送を行う。すなわち、放送装置１０は、例えば一日の番組プログラムに従って、蓄積部１１より所定のコンテンツデータを読み出し、次いで、蓄積部１１より読み出したコンテンツデータをディジタル多重化部１２でディジタル多重化し、次いで、ディジタル多重化されたコンテンツデータを暗号化部１３で暗号化し、更に、送信処理部１４で暗号化されたコンテンツデータを符号化し更に変調してアンテナ１５より発信する。
【００４２】
また、放送装置１０は、通信部１８で商品販売業者４の商品販売業者端末装置５０から送信された受信機ＩＤ、購入データ等を受信したとき、受信したこれらのデータに基づいてデータベース１９の内容を更新する。
【００４３】
放送局２の放送装置１０から放送された放送データを受信する受信機３０について説明すると、この受信機３０は、放送局２と契約した視聴者３に割り与えられる機器であり、例えば視聴者３が所有する自動車のダッシュボード等移動体の電波を受信しやすい場所に設置される。この受信機３０は、図４に示すように、放送装置１０より放送された放送データを受信するアンテナ３１と、アンテナ３１で受信した放送データに対して受信処理を施す受信処理部３２と、受信処理が施された放送データの暗号を復号する暗号復号部３３と、放送データの暗号を復号する際に用いる暗号復号鍵データを保存する暗号復号鍵用記憶部３４と、暗号が復号された放送データに対して復号処理を施す復号部３５と、音声データをディジタル信号からアナログ信号に変換するディジタル／アナログ変換器（以下、単に、Ｄ／Ａコンバータという。）３６と、アナログ信号に変換された音声データを再生音に変換し放音するスピーカ３７と、データを表示する表示部３８と、操作信号を入力する操作部３９と、他の受信機３０と識別するための受信機ＩＤが保存される受信機ＩＤ用記憶部４０と、全体の動作を制御する制御プログラム等が保存されたプログラム用記憶部４１と、放送データ等のデータを保存するデータ用記憶部４２と、プログラム用記憶部４１等に保存されたプログラムがロードされる一時記憶部４３と、放送装置１０とネットワーク５を介してデータ通信をする通信部４４と、商品販売業者端末装置５０と近距離データ通信を行う近距離通信部４５と、全体の動作を制御する制御部４６とを備える。
【００４４】
アンテナ３１は、放送局２の放送装置１０より発信された放送データを検波し、受信した放送データを受信処理部３２に出力する。受信処理部３２は、放送装置１０の送信処理部１４でＯＦＤＭ等の方式で変調されている放送データを復調し、所定の復号処理を行った後、暗号復号部３３に出力する。
【００４５】
暗号復号部３３は、受信処理部２３より入力された放送データの暗号を復号する。このとき、暗号復号部３３は、暗号復号鍵用記憶部３４に格納されている暗号復号鍵データを読み出し、この読み出した暗号復号鍵データを用いて受信処理部３２より入力された放送データを復号する。ここで、暗号復号鍵用記憶部３４に保存されている暗号復号鍵データは、視聴者３が放送局２と受信契約を締結した視聴者３が、自分が所有する受信機３０の受信機ＩＤを放送局２のデータベース１９に登録する際ネットワーク５を介して取得するものであり、放送装置１０が放送データを暗号化部１３で暗号化する際に用いた暗号鍵データに対応する鍵データである。暗号復号部３３は、受信処理部２３より入力された放送データを暗号復号鍵データを用いて復号すると、その復号した放送データを復号部３５に出力する。
【００４６】
復号部３５は、暗号復号部３３より入力された暗号が復号された放送データ、すなわちディジタル多重化処理が施されている放送データを復号する。そして、復号部３５は、視聴者３が選択しているチャネルの放送データを抽出し、この抽出した所定チャネルの放送データをＤ／Ａコンバータ３６に出力する。また、復号部３５は、入力された放送データから選択されているチャネルの放送データに関連する表示データを抽出し、抽出した表示データを制御部４６に出力する。そして、Ｄ／Ａコンバータ３６は、入力された所定チャネルの放送データをディジタル信号からアナログ信号の変換し、アナログ信号の放送データをスピーカ３７に出力する。スピーカ３７は、入力されたアナログ信号の放送データを再生音に変換し放音する。なお、放送データの出力手段は、スピーカ３７の他、ヘッドフォンやイヤホンであってもよい。
【００４７】
表示部３８は、液晶表示パネル、陰極線管等であり、再生する放送データに関連する表示データ等を表示する。例えば、表示部３８は、現在選択しているチャネルを表示する他、再生している放送データに関連する情報として、放送中の楽曲データのタイトル、アーティスト名等を文字データ等で表示する。また、操作部３９は、複数の押し釦、ダイヤル等で構成された選局釦、音量調整釦、表示内容切換釦、タイマ設定釦、文字入力釦等を有している。操作部３９は、例えば視聴者３が選局釦を操作してチャネルの選択がされたとき、チャネル選択データを制御部４６に出力し、また、音量調整釦が操作されたとき、その音量調整データを制御部４６に出力する。また、操作部３９では、放送局２に視聴者登録をするため、文字入力釦を用いて視聴者名等の文字データを入力することができる。なお、表示部３８は、操作部３９と共用するため、タッチパネル等で構成してもよい。また、操作部３９は、遠隔操作装置であってもよい。
【００４８】
受信機ＩＤ用記憶部４０は、ハードディスク、ＲＯＭ、ＥＥＰＲＯＭ、フラッシュメモリ等で構成されている。この受信機ＩＤ用記憶部４０には、他の視聴者３が所有する受信機３０と区別するための識別データとなる受信機ＩＤが格納される。この受信機ＩＤは、受信機３０の工場出荷時、放送局２に対して視聴者３が登録を行ったとき等に受信機ＩＤ用記憶部４０に格納される。
【００４９】
プログラム用記憶部４１は、ハードディスク、ＲＯＭ、ＥＥＰＲＯＭ、フラッシュメモリ等で構成されている。プログラム用記憶部４１には、各種資源を管理するオペレーティングシステム、放送装置１０や商品販売業者端末装置５０とデータ通信を行うための通信プログラム等が格納されている。また、このプログラム用記憶部４１は、書換可能な記憶媒体を用いることで、アンテナ３１、通信部４４、更に他のリムーバル記録媒体から入力されたアップデート用のプログラムに、現在保存されているプログラムを書き換えることができる。一時記憶部４３は、ＲＡＭ等で構成されている。この一時記憶部４３には、プログラム用記憶部４１に格納されている各種プログラムがロードされる。
【００５０】
また、データ用記憶部４２は、書換可能な記録媒体であって、ハードディスク、ＥＥＰＲＯＭ等の内蔵型の記録媒体の他、フラッシュメモリを記憶素子に用いるＩＣカード、テープカートリッジ、ディスクカートリッジ等のリムーバル記録媒体で構成されている。このデータ用記憶部４２は、例えば放送中の番組を記録することができる。
【００５１】
なお、このデータ用記憶部４２には、記録される放送データは、再生中のチャネルの番組の他、再生していないチャネルの番組も記録することができる。この場合、復号部３５は、現在再生するチャネルの放送データを抽出し、Ｄ／Ａコンバータ３６に出力するとともに、視聴者３によって選択されたチャネルの所定時間の番組を抽出し制御部４６に出力する。制御部４６に入力された番組は、制御部４６によってデータ用記憶部４２に記録される。これによって、視聴者３は、ある番組を聞きながら、同じ時間に放送されている他のチャネルの番組をデータ用記憶部４２に記録することができ、空き時間を利用してデータ用記憶部４２に記録した番組を聞くことができる。
【００５２】
通信部４４は、本サービスを利用するため放送局２に対して視聴者登録をする際に、受信機ＩＤ用記憶部より受信機ＩＤを読み出し、この読み出した受信機ＩＤを操作部３９より入力された視聴者名とともに放送装置１０にネットワーク５を介して送信する。
【００５３】
また、近距離通信部４５は、ブルートゥース（Ｂｌｕｅｔｏｏｔｈ）、赤外線を用いるＩｒＤＡ（Ｉｎｆｒａｒｅｄ　Ｄａｔａ　Ａｓｓｏｃｉａｔｉｏｎ）、ＩＥＥＥ（Ｉｎｓｔｉｔｕｔｅ　Ｏｆ　Ｅｌｅｃｔｒｉｃａｌａｎｄ　Ｅｌｅｃｔｒｏｎｉｃ　Ｅｎｇｉｎｅｅｒｓ）８０２．１１ａ／ｂ等の近距離通信（ＷＰＡＮ：Ｗｉｒｅｌｅｓｓ　Ｐｅｒｓｏｎａｌ　Ａｒｅａ　Ｎｅｔｗｏｒｋ）の無線インタフェースを有している。受信機３０は、自動車等の移動体に設置されるものであり、例えばユーザが商品販売業者４の店舗に買い物に行ったとき、その店舗に設置してある商品販売業者端末装置５０とデータ通信を行う。具体的に、近距離通信部４５は、商品販売業者端末装置５０に対して受信機ＩＤ用記憶部４０より読み出した受信機ＩＤを送信する。すなわち、視聴者３は、店舗の近隣の駐車場等に自動車を止め買い物等を行う。その一方、受信機３０は、自動車のダッシュボード等に固定されるものであり、携帯することができない。そこで、近距離通信部４５は、近距離無線通信によって、受信機ＩＤを商品販売業者端末装置５０に送信するようにし、商品販売業者端末装置５０が視聴者３が店舗を訪問したことを自動的に検出することができるようにする。勿論、商品販売業者端末装置５０と近距離通信を行うことができるのであれば、近距離通信部４５は、ＵＳＢ（Ｕｎｉｖｅｒｓａｌ　ｓｅｒｉａｌ　ｂｕｓ）、ＩＥＥＥ１３９４等の有線の通信インタフェースを用いるようにしてもよい。
【００５４】
制御部４６は、ＣＰＵ等で構成されている。制御部４６は、プログラム用記憶部４１のプログラムを一時記憶部４３にロードし、読み出したプログラムに基づいて装置全体を制御する。具体的に、制御部４６は、操作部３９より入力されたチャネル選択データに基づいて、復号部３５を制御し、ユーザが選択したチャネルの放送データを抽出し、再生のとき、抽出した放送データを、Ｄ／Ａコンバータ３６に出力し、データ用記憶部４２に記録するとき、抽出した放送データを、データ用記憶部４２に記録する。また、制御部４６は、放送局２に視聴者登録をするとき、操作部３９より入力された視聴者名とともに、受信機ＩＤ用記憶部４０より読み出した受信機ＩＤを通信部４４より放送装置１０に送信する。更に、制御部４６は、近距離通信部４５を介して近距離無線通信で商品販売業者端末装置５０を検出したとき、受信機ＩＤ用記憶部４０より受信機ＩＤを読み出し、読み出した受信機ＩＤを商品販売業者端末装置５０に送信する。
【００５５】
以上のように構成された受信機３０は、視聴者３が所望のチャネルを操作部３９を用いて選択すると選局データが制御部４６に入力される。受信機３０は、アンテナ３１で放送装置１０より発信された放送データを受信すると、受信処理部３２で復調、復号処理を施し、暗号復号部３３で暗号復号鍵用記憶部３４に保存されている暗号復号鍵データを用いて暗号を復号し、復号部３５で選択されたチャネルの放送データを抽出し、抽出した放送データをＤ／Ａコンバータ３６でディジタル信号をアナログ信号に変換し、スピーカ３７より再生音に変換して出力する。また、復号部３５は、選択されたチャネルの放送データより表示データを抽出し、表示部３８に表示データを表示する。これにより、視聴者３は、選択したチャネルの放送データを視聴することができる。また、視聴者３は、本サービス１の視聴者登録を放送局２に対して行うとき、操作部３９を介して入力された文字データ等からなる視聴者名データと受信機ＩＤ用記憶部４０より読み出した受信機ＩＤを通信部４４よりネットワーク５を介して放送装置１０に送信する。更に、視聴者３が商品販売業者４の店舗に買い物等に行ったとき、店舗の近隣に駐車した自動車に設置してある受信機３０は、近距離通信部４５より近距離無線通信で、受信機ＩＤ用記憶部４０より読み出した受信機ＩＤを訪問している店舗に設置してある商品販売業者端末装置５０に送信する。これによって、商品販売業者端末装置５０は、店舗を訪問した視聴者３が所有している受信機３０の受信機ＩＤを取得することができ、商品販売業者４は、本サービス１の適用を受ける視聴者３が自分の店を訪れたことを自動的に知ることができる。
【００５６】
次に、視聴者３が買い物等で訪問する商品販売業者４の経営する店舗に設置される商品販売業者端末装置５０について、図５を参照して説明すると、この商品販売業者端末装置５０は、パーソナルコンピュータ、ＰＯＳ（Ｐｏｉｎｔ　Ｏｆ　Ｓａｌｅｓ）端末等とほぼ同様な構成を有する装置であって、全体の動作を制御する制御プログラム等が保存されたプログラム用記憶部５１と、プログラム用記憶部５１等に保存されたプログラムがロードされる一時記憶部５２と、データを保存するデータ用記憶部５３と、操作信号を入力する入力部５４と、データを表示する表示部５５と、放送装置１０とネットワーク５を介してデータ通信をする通信部５６と、受信機３０と近距離データ通信を行う近距離通信部５７と、全体の動作を制御する制御部５８とを備える。
【００５７】
プログラム用記憶部５１は、ハードディスク、ＲＯＭ、ＥＥＰＲＯＭ、フラッシュメモリ等で構成されている。プログラム用記憶部５１には、各種資源を管理するオペレーティングシステム、放送装置１０や受信機３０とデータ通信を行うための通信プログラム等が格納されている。また、このプログラム用記憶部５１は、書換可能な記憶媒体を用いることで、通信部５６、更に他のリムーバル記録媒体から入力されたアップデート用のプログラムに、現在保存されているプログラムを書き換えることができるようになっている。一時記憶部５２は、ＲＡＭ等で構成されている。この一時記憶部５２には、プログラム用記憶部４１に格納されている各種プログラムがロードされる。
【００５８】
また、データ用記憶部５３は、書換可能な記録媒体であって、ハードディスク、ＥＥＰＲＯＭ等の内蔵型の記録媒体の他、フラッシュメモリを記憶素子に用いるＩＣカード、テープカートリッジ、ディスクカートリッジ等のリムーバル記録媒体で構成されている。このデータ用記憶部５３は、受信機３０より送信された受信機ＩＤが保存されるとともに、この受信機ＩＤに関連付けて視聴者３が購入した商品識別データ、購入金額等の購入データが保存される。
【００５９】
具体的に、データ格納用記憶部５３では、下記表３に示すデータベースによって受信機ＩＤと購入データとが関連付けて保存されている。
【００６０】
【表３】
2004080317.tif 000005
【００６１】
このデータベースは、表３に示すように、フィールドとして受信機ＩＤと店舗訪問回数と支払合計金額が設けられている。受信機ＩＤは、制御部５８がデータベースに登録されていない受信機ＩＤを検出したとき、このデータベースに登録される。店舗訪問回数は、既登録の受信機ＩＤを検出したとき、１ずつ加算される。すなわち、店舗訪問回数は、受信機ＩＤが登録されたとき、「１」が記述され、以降、既登録の受信機ＩＤを検出する度に「１」が加算される。支払合計金額は、視聴者３がその店舗の商品を購入する度に、その商品の金額分だけ累積加算される。このデータベースには、所定期間内の店舗訪問回数と支払合計金額が記録され、放送装置１０に送信されると、店舗訪問回数と支払合計金額がリセットされる。この表３の例では、例えば、受信者ＩＤが「０００００１」の視聴者３は、店舗訪問回数が「５回」で支払合計金額が「１０００円」となっている。このデータベースでは、所定期間内において、受信機ＩＤに関連付けられた視聴者が幾ら分商品を購入したかを管理することができる。
【００６２】
入力部５４は、キーボード、マウス、テンキー、バーコード読み取り機等で構成されており、商品販売業者４の操作に応じて各種操作信号を生成するとともに、視聴者３の購入データを入力する。表示部５５は、陰極線管、液晶表示パネル等であり、各種データを表示する。
【００６３】
通信部５６は、データ格納用記憶部５３に保存されている受信機ＩＤや視聴者３の購入データ等を放送局２の放送装置１０からの送信要求に応じてネットワーク５を介して送信する。また、近距離通信部５７は、近距離通信インタフェースを有しており、視聴者３の受信機３０を検出すると、その受信機３０の受信機ＩＤの送信要求を受信機３０に送信し、その受信機３０から送信された受信機ＩＤを受信する。
【００６４】
制御部５８は、ＣＰＵ等で構成されている。制御部５８は、近距離通信部５７で受信機３０を検出すると、近距離通信部５７で受信機３０の受信機ＩＤを受信し、受信した受信機ＩＤをデータ格納用記憶部５３に保存する。また、制御部５８は、視聴者３が店舗で商品販売業者４の商品を購入したとき、入力部５４より入力された購入データをデータ格納用記憶部５３にその視聴者３が所有する受信機３０の受信機ＩＤに関連付けて保存する。すなわち、制御部５８は、近距離通信部５７で受信機ＩＤを検出する度に、その検出した受信機ＩＤが上記表３のデータベースに登録されている受信機ＩＤであるかを検出し、受信機ＩＤが登録されていないとき、新規に受信者ＩＤをデータベースに登録し、店舗訪問回数に「１回」を記録し、既登録受信機ＩＤであるとき、店舗訪問回数に「１回」を加算する。また、制御部５８は、視聴者が商品を購入したとき、その商品の代金分を支払合計金額に加算する。そして、制御部５８は、データ格納用記憶部５３に保存している受信機ＩＤと受信機ＩＤに関連付けて保存されている視聴者３の購入データをデータ格納用記憶部５３より読み出し、通信部５６よりネットワーク５を介して放送装置１０に送信する。そして、受信機ＩＤ及び購入データを放送装置１０に送信した後、制御部５８は、データベースの店舗訪問回数と支払合計金額をリセットする。これは、放送装置１０が所定期間後との受信料の割引データを生成することができるようにするためである。
【００６５】
以上のように構成された商品販売業者端末装置５０は、視聴者３が自動車等の移動体で商品販売業者４の店舗の近隣に駐車し、近距離通信部５７の通信可能な範囲に受信機３０が位置すると、その受信機３０を検出し、検出した受信機３０の受信機ＩＤをデータ格納用記憶部５３に保存する。すなわち、商品販売業者端末装置５０は、受信機３０を検出することで、検出した受信機３０の視聴者が店を訪問したものとみなし、データ格納用記憶部５３のデータベースを更新する。また、商品販売業者端末装置５０は、その視聴者３が店舗で商品を購入したとき、入力部５４よりその視聴者３が購入した購入データが入力され、この購入データをその視聴者３の受信機３０の受信機ＩＤに関連付けてデータ格納用記憶部５３に保存する。更に、商品販売業者端末装置５０は、放送装置１０からの要求に応じて、通信部５６よりデータ格納用記憶部５３に保存されている受信機ＩＤとその受信機ＩＤの関連付けられている購入データを放送装置１０に送信する。
【００６６】
次に、図６を参照して、受信機３０を所有する視聴者３が放送局２に対して視聴者登録する際の手順について説明する。
【００６７】
放送局２が放送する広告無し番組を視聴するために、視聴者登録を行うとき、視聴者３は、操作部３９を操作することによって、受信機３０を視聴者登録を行うための視聴者登録モードにする。次いで、視聴者３は、ステップＳ１において、操作部３９を操作することによって、表示部３８に表示される案内画面に従って、視聴者名、住所、氏名、年齢等視聴者３を特定するための個人データ、決済を行うためのクレジットカードのクレジット番号、銀行の口座データ等の登録申請データを入力する。視聴者３によって以上のような登録申請データが入力され、視聴者３によって送信操作が行われると、ステップＳ２において、受信機３０の制御部４６は、入力された登録申請データを、通信部４４より所定の伝送プロトコルに従ってネットワーク５を介して放送局２の放送装置１０に送信する。また、受信機３０の制御部４６は、受信機ＩＤ用記憶部４０より受信機ＩＤを読み出し、読み出した受信機ＩＤを登録申請データと共に通信部４４より所定の伝送プロトコルに従ってネットワーク５を介して放送局２の放送装置１０に送信する。
【００６８】
なお、ここまでの視聴者登録を行うための申請は、ネットワーク５を介してデータ通信で行う他、直接視聴者３が放送局２に電話をかけて口頭で行うようにしてもよい。
【００６９】
受信待機状態にある放送局２の放送装置１０は、通信部１８で、受信機３０からネットワーク５を介して送信された登録申請データと受信機ＩＤとを受信する。次いで、ステップＳ４において、放送装置１０の制御部２１は、受信機３０から送信された受信機ＩＤがデータベース１９に既に登録されているかどうかを判断し、未登録のものであるとき、データベース１９に登録する。すなわち、制御部２１は、上記表１に示すように、受信機ＩＤと視聴者名とを関連付けてデータベース１９に登録する。制御部２１は、店舗訪問回数、支払合計金額、ポイント、割引率をデフォルトの「０」に設定する。なお、制御部２１は、受信した受信機ＩＤが既登録のものであるとき、その旨を受信機３０に送信する。
【００７０】
ステップＳ５において、放送装置１０の制御部２１は、視聴者登録の完了したことを知らせるアクティベート信号を放送データとしてアンテナ１５より発信する。すなわち、制御部２１は、視聴者登録の完了した受信機ＩＤと暗号化されている番組を復号する暗号鍵復号鍵データとを含むアクティベート信号を生成し、生成したアクティベート信号を多重化してアンテナ１５より発信する。
【００７１】
ステップＳ６において、受信機３０の制御部４６は、放送装置１０より放送されている放送データを受信し、復号部３５で受信したディジタル多重化処理が施されている放送データを復号し、復号されたデータよりアクティベート信号を抽出する。そして、制御部４６は、抽出したアクティベート信号に含まれている受信機ＩＤが、受信機ＩＤ用記憶部４０に保存している受信機ＩＤと一致しているとき、アクティベート信号に含まれている暗号復号鍵データを暗号復号鍵用記憶部３４に保存する。したがって、以降、受信機３０は、この暗号鍵復号鍵データで用いてアンテナ３１で受信した放送データの暗号を復号して番組を視聴することができるようになる。なお、制御部４６は、抽出したアクティベート信号に含まれている受信機ＩＤが、受信機ＩＤ用記憶部４０に保存している受信機ＩＤと一致しないとき、処理を終了する。
【００７２】
次に、図７を参照して、受信機３０が設置された自動車で視聴者３が商品販売業者４の店舗に立ち寄り、その店舗で商品を購入した際の受信機３０と商品販売業者端末装置５０の処理手順について説明する。
【００７３】
例えば、視聴者３が商品販売業者４の店舗に立ち寄るため、受信機３０が設置された自動車を駐車場等その店舗の近所に駐車する。このとき、受信機３０の位置は、商品販売業者４の店舗に設置されている商品販売業者端末装置５０と近距離通信が可能なエリアである。受信機３０の制御部４６は、ステップＳ１１において、プログラム記憶部４１のプログラムに従って所定間隔で、近距離通信が可能な商品販売業者端末装置５０を検出するためのアクセス要求を近距離通信部４５より発信する。受信待機状態にある商品販売業者端末装置５０の制御部５８は、ステップＳ１２において、近距離通信部５７で、受信機３０からのアクセス要求を受信したかどうかを判断し、受信したとき、ステップＳ１３に進み、受信しなかったとき、ステップＳ１２を繰り返す。すなわち、商品販売業者端末装置５０の制御部５８は、受信機３０からのアクセス要求を受信することで、近距離通信が可能な受信機３０を特定する。近距離通信が可能な受信機３０を特定すると、制御部５８は、ステップＳ１３において、近距離通信部５７より受信機３０に対して受信機ＩＤの送信要求を送信する。受信待機状態にある受信機３０の制御部４６は、近距離通信部４５で商品販売業者端末装置５０から送信された受信機ＩＤの送信要求を受信すると、ステップＳ１４において、受信機ＩＤ用記憶部４０より自身の受信機ＩＤを読み出し、この読み出した受信機ＩＤを近距離通信部４５より商品販売業者端末装置５０に対して送信する。そして、商品販売業者端末装置５０の制御部５８は、ステップＳ１５において、近距離通信部５７で、受信機３０から送信された受信機ＩＤを受信する。
【００７４】
受信機ＩＤを受信した商品販売業者端末装置５０の制御部５８は、ステップＳ１６において、データ格納用記憶部５３に構築されている上記表３のデータベースにアクセスし、受信した受信機ＩＤが既登録受信機ＩＤであるかどうかを判断し、既登録であるとき、ステップＳ１７に進み、未登録のとき、ステップＳ１８に進む。すなわち、商品販売業者端末装置５０では、受信した受信機ＩＤが示す受信機３０の所有者となっている視聴者３が初来店であるかを判断する。受信した受信機ＩＤが既登録であるとき、商品販売業者端末装置５０の制御部５８は、ステップＳ１７において、上記表３に示すデータベースの受信した受信機ＩＤに関連付けられている店舗訪問回数に「１」を加算する。また、制御部５８は、受信した受信機ＩＤがデータベースに未登録であるとき、ステップＳ１８において、新規に受信機ＩＤをデータベースに登録し、登録した受信機ＩＤに関連付けられている店舗訪問回数に「１回」を記録する。
【００７５】
以上のようにして、商品販売業者端末装置５０では、店舗の近所にある自動車に設置されている受信機３０の受信機ＩＤをデータベースに登録することで、受信機ＩＤを用いて、間接的に来店した視聴者３の来店回数を管理することができる。
【００７６】
商品販売業者４の店舗に来店した視聴者３がその店舗の商品を購入するとき、ステップＳ１９において、店員は、商品販売業者端末装置５０の入力部５４を構成する例えばバーコード読み取り機を用いて視聴者３が購入しようとする商品に関する値段等の商品データを商品販売業者端末装置５０に入力する。これと共に、店員は、視聴者３から知らされた受信機ＩＤを入力部５４を構成するキーボード等を用いて入力する。すると、制御部５８は、ステップＳ２０において、入力された受信機ＩＤに基づいてデータ格納用記憶部５３のデータベースを検索し、ステップＳ２１において、検索した受信機ＩＤに関連付けられた支払合計金額に商品データに含まれる購入価格を加算する。
【００７７】
以上のように、商品販売業者端末装置５０は、視聴者３が商品販売業者４の店舗で商品を購入しなかった場合においても、受信機３０を検出し受信機ＩＤを取得すると、データ格納用記憶部５３に構築されている上記表３に示すデータベースの店舗訪問回数に１を加算する。また、視聴者３がその店舗で商品を購入したときには、上記表３のデータベースは、店舗訪問回数に１が加算されるとともに、支払合計金額に購入金額が加算される。商品販売業者端末装置５０は、一日毎、一ヶ月毎等所定期間毎に、このデータベースの内容、すなわち受信機ＩＤとこの受信機ＩＤに関連付けられた店舗訪問回数と支払合計金額を購入データとして放送局２の放送装置１０に送信し、店舗訪問回数、支払合計金額等が視聴者に対する特典に反映されるようにする。
【００７８】
次に、商品販売業者端末装置５０より店舗訪問回数、支払合計金額等の購入データを放送装置１０に送信し、放送装置１０が特典データを生成する手順を図８を参照して説明する。先ず、商品販売業者４は、一日毎、一ヶ月毎等所定期間毎に、入力部５４を操作して、データ格納用記憶部５３に構築されている上記表３に示すデータベースの内容、すなわち受信機ＩＤとこの受信機ＩＤに関連付けられた店舗訪問回数と支払合計金額を購入データとして放送局２の放送装置１０に送信するため、放送装置１０にアクセスする操作を行う。すなわち、商品販売業者端末装置５０の制御部５８は、ステップＳ３１において、商品販売業者４の操作に応じて通信部５６よりネットワーク５を介して放送装置１０にアクセス要求を送信する。受信待機状態にある放送装置１０の制御部２１は、ステップＳ３２において、通信部１８で、商品販売業者端末装置５０からのアクセス要求を受信したかどうかを判断し、受信したとき、ステップＳ３３に進み、受信しなかったとき、ステップＳ３２を繰り返す。放送装置１０の制御部２１は、商品販売業者端末装置５０からのアクセス要求を受信したとき、ステップＳ３３において、データ格納用記憶部５３に構築されている上記表３に示すデータベースの内容、すなわち受信機ＩＤとこの受信機ＩＤに関連付けられた店舗訪問回数と支払合計金額を含む購入データの送信要求を通信部１８よりネットワーク５を介して商品販売業者端末装置５０に送信する。商品販売業者端末装置５０の制御部５８は、通信部５６でネットワーク５を介して放送装置１０から送信された購入データの送信要求を受信すると、ステップＳ３４において、データ格納用記憶部５３に構築されている上記表３に示すデータベースの受信機ＩＤ、店舗訪問回数、支払合計金額等より購入データを生成し、生成した購入データを通信部５６を介してネットワーク５を介して放送装置１０に送信する。そして、放送装置１０は、ステップＳ３５において、通信部１８で商品販売業者端末装置５０からネットワーク５を介して送信された購入データを受信する。
【００７９】
商品販売業者端末装置５０から送信された購入データを受信した放送装置１０の制御部２１は、ステップＳ３６において、受信した購入データを上記表１に示したデータベース１９に反映させる処理を行う。具体的に、制御部２１は、上記表１に示すデータベース１９にアクセスし、通信部１８で受信した購入データに含まれる受信機ＩＤに基づいて検索し、その検索した受信機ＩＤに関連付けられている現在の店舗訪問回数、支払合計金額、ポイント、割引率を抽出する。制御部２１は、先ず、抽出した受信機ＩＤ関連付けられている上記表１の店舗訪問回数、支払合計金額に、購入データに含まれる店舗訪問回数、支払合計金額を反映させる。すなわち、制御部２１は、購入データに含まれる店舗訪問回数を、上記表１の店舗訪問回数に加算するとともに、購入データに含まれる支払合計金額を、上記表１の支払合計金額に加算する。
【００８０】
ステップＳ３７において、制御部２１は、視聴者毎の請求料金を算出するため、所定期間、例えば１ヶ月を経過したかどうかを判断し、所定期間を経過したとき、ステップＳ３８に進み、所定期間を経過していないとき、ステップＳ３７を繰り返す。
【００８１】
ステップＳ３８において、制御部２１は、更新された上記表１の店舗訪問回数と支払合計金額に基づいて、表１のポイントと割引率を算出する。すなわち、制御部２１は、ポイントを算出するとき、更新後の店舗訪問回数１回を１ポイントに換算し、更新後の支払合計金額１円を１ポイントに換算して、ポイントを算出する。ステップＳ３９において、制御部２１は、視聴者３の受信料の割引率を算出するとき、１０００ポイントを１％に換算して割引率を算出する。また、制御部２１は、基本料金に割引率を反映させて視聴者毎の請求金額を算出する。
【００８２】
制御部２１は、視聴者毎の請求金額を算出すると、決済処理のため、視聴者のクレジット番号、銀行口座番号、請求金額等からなる請求データを決済センタのサーバに送信し、決済センタのサーバでは、各視聴者３の口座データを更新する。
【００８３】
次に、商品販売業者端末装置５０より視聴者３が商品を購入したことにより発生した売上データを放送装置１０に送信し、放送装置１０がシステム利用料である課金データを生成する手順を図９を参照して説明する。先ず、商品販売業者４は、一日毎、一ヶ月毎等所定期間毎に、入力部５４を操作して、上記図８で説明した購入データと共に、視聴者３が商品を購入したことにより発生した売上データを送信するため、放送装置１０にアクセスする操作を行う。すなわち、商品販売業者端末装置５０の制御部５８は、ステップＳ４１において、商品販売業者４の操作に応じて通信部５６よりネットワーク５を介して放送装置１０にアクセス要求を送信する。受信待機状態にある放送装置１０の制御部２１は、ステップＳ４２において、通信部１８で、商品販売業者端末装置５０からのアクセス要求を受信したかどうかを判断し、受信したとき、ステップＳ４３に進み、受信しなかったとき、ステップＳ４２を繰り返す。放送装置１０の制御部２１は、商品販売業者端末装置５０からのアクセス要求を受信したとき、ステップＳ４３において、商品販売業者４の商品販売業者ＩＤに関連付けられた売上データの送信要求を通信部１８よりネットワーク５を介して商品販売業者端末装置５０に送信する。商品販売業者端末装置５０の制御部５８は、通信部５６でネットワーク５を介して放送装置１０から送信された購入データの送信要求を受信すると、ステップＳ４４において、データ格納用記憶部５３の上記表３のデータベースより所定期間における視聴者３が商品を購入したことにより発生した売上データを算出し、この算出した売上データを、商品販売業者４の商品販売業者ＩＤに関連付けて通信部５６を介してネットワーク５を介して放送装置１０に送信する。そして、放送装置１０は、ステップＳ４５において、通信部１８で商品販売業者端末装置５０からネットワーク５を介して送信された売上データを受信する。
【００８４】
商品販売業者端末装置５０から送信された売上データを受信した放送装置１０の制御部２１は、ステップＳ４６において、受信した売上データを上記表２に示したデータベース１９に反映させる処理を行う。具体的に、制御部２１は、上記表２に示すデータベース２０にアクセスし、通信部１８で受信した売上データに含まれる商品販売業者ＩＤに基づいて検索し、その検索した商品販売業者ＩＤに関連付けられている売上データを抽出する。制御部２１は、抽出した商品販売業者ＩＤ関連付けられている上記表２の売上に、受信した売上金額分を加算する。
【００８５】
ステップＳ４７において、制御部２１は、商品販売業者４毎の所定期間における課金データを算出するため、所定期間、例えば１ヶ月を経過したかどうかを判断し、所定期間を経過したとき、ステップＳ４８に進み、所定期間を経過していないとき、ステップＳ４７を繰り返す。
【００８６】
ステップＳ４８において、制御部２１は、更新された上記表２の売上に基づいて、表２の課金データを算出する。すなわち、制御部２１は、売上の１０％を課金金額とする。そして、制御部２１は、商品販売業者４毎の課金データを、決済処理のため、視聴者のクレジット番号、銀行口座番号、請求金額等からなる請求データを決済センタのサーバに送信し、決済センタのサーバでは、各商品販売業者４の口座データを更新する。
【００８７】
以上のように構成された通信システム１では、放送装置１０から上記図３（Ａ）に示すような広告無し放送や図３（Ｂ）に示すような番組中に広告を挿入しない番組を放送する。したがって、視聴者３は、受信機３０を介して番組を連続して視聴することができる。すなわち、視聴者３は、番組中に広告が挿入されることで煩わされることが無くなる。また、放送局２は、番組間及び／又は番組中に広告を挿入しない代わりに、商品紹介番組を制作し、番組中及び／又は番組間で広告を行う場合と比べて比較的自由な時間帯に商品紹介番組を放送することができる。また、商品紹介番組では、一般に行われている番組間及び／又は番組中に挿入される広告と異なり、商品の紹介時間を十分に確保することができる。更に、商品紹介番組は、同じ商品を時間を異ならせて繰り返し紹介することで、視聴者３に対する商品の関心を高めることができる。
【００８８】
更に、視聴者３は、商品紹介番組を視聴して、商品販売業者４の店舗を訪問することで、更に、その店舗で所望の商品を購入することで、その商品販売業者４の商品販売業者端末装置５０より購入データが放送装置１０に送信され、放送装置１０がこれらのデータに基づいて受信料割引等の特典を受けることができる。すなわち、このシステム１では、視聴者３が受信料割引等の特典を受けるために、商品販売業者４の店舗に頻繁に足を運ぶようになる。
【００８９】
なお、以上の例では、特典データとして受信料の割引を説明したが、その他、上記表１のポイントに応じて、商品販売業者４の店舗での割引クーポンを、郵送で又はネットワーク５を介して放送装置１０から受信機３０に送信するようにしてもよい。
【００９０】
また、この通信システム１では、放送局装置１０が、一のチャネルで広告を番組内及び番組間に挿入した通常の番組を暗号化しない状態で放送し、他のチャネルを、プレミアムチャネルとし、番組内及び／又は番組内に広告を挿入しない番組を暗号化して放送し、上記表１に示すポイントが閾値以上になった視聴者３に限って特典データとして暗号復号鍵データを送信し、ポイントが閾値以上となった視聴者３のみがプレミアムチャネルの番組を暗号を復号して視聴できるようにしてもよい。
【００９１】
更に、以上の例では、ラジオ放送を例に取り説明したが、この放送は、テレビジョン放送であってもよい。
【００９２】
【発明の効果】
本発明によれば、商品販売業者端末に受信機より出力された受信機識別データが入力され、この入力された受信識別データを上記放送局に出力し、放送局が、上記入力された受信機識別データに基づいて特典データを生成し、この特定データに基づいて視聴者に利益還元を行うことから視聴者が商品販売業者の店舗を訪れやすくなる。
【図面の簡単な説明】
【図１】本発明を適用した通信システムの構成を説明する図である。
【図２】上記通信システムを構成する放送装置の構成を説明するブロック図である。
【図３】（Ａ）は番組内と番組間に全く広告の時間を設けないチャネルの放送データを説明する図であり、（Ｂ）は、１つの番組内に広告を挿入しないようにしたチャネルの放送データを説明する図である。
【図４】上記通信システムを構成する受信機の構成を説明するブロック図である。
【図５】上記通信システムを構成する商品販売業者端末装置の構成を説明するブロック図である。
【図６】受信機を所有する視聴者が放送局に対して視聴者登録する際の手順を説明するフローチャートである。
【図７】受信機が設置された自動車で視聴者が商品販売業者の店舗に立ち寄り、その店舗で商品を購入する際の受信機と商品販売業者端末装置の処理手順を説明するフローチャートである。
【図８】商品販売業者端末装置より店舗訪問回数、支払合計金額等の購入データを放送装置に送信し、放送装置が特典データを生成する手順を説明するフローチャートである。
【図９】商品販売業者端末装置より視聴者が商品を購入したことにより発生した売上データを放送装置に送信し、放送装置がシステム利用料である課金データを生成する手順を説明するフローチャートである。
【符号の説明】
１　通信システム、２　放送局、３　視聴者、４　商品販売業者、５　ネットワーク、１０　放送装置、３０　受信機、５０　商品販売業者端末装置
【図１】
2004080317.tif 000006
【図２】
2004080317.tif 000007
【図３】
2004080317.tif 000008
【図４】
2004080317.tif 000009
【図５】
2004080317.tif 000010
【図６】
2004080317.tif 000011
【図７】
2004080317.tif 000012
【図８】
2004080317.tif 000013
【図９】
2004080317.tif 000014